(57)【特許請求の範囲】
【請求項１】
陸屋根構造とされた建物の屋根部に配置され、建物上下方向の上側に設けられる屋根面材と当該屋根面材を支持する端根太と根太とを含んで構成された複数の屋根パネル構成部と、を有する屋根パネルと、
前記屋根パネルにおける隣接する前記屋根パネル構成部同士の間に設けられると共に、小屋裏と連通したスリット部と、
前記屋根パネルの端部を建物外側から覆った外壁面材における前記スリット部と対応した位置に前記外壁面材の板厚方向に貫通する通気孔と、
前記スリット部に設けられると共に、隣接する一方の前記屋根パネル構成部と他方の前記屋根パネル構成部とを連結しかつ建物上下方向の寸法が前記根太の建物上下方向以下に設定されたつなぎ材と、
前記スリット部の建物上方に前記屋根面材と同一面となるようにスリット部屋根面材と、
を備えた陸屋根の小屋裏換気構造。
【請求項２】
前記屋根パネルの前記屋根面材は、１枚の面材で構成されると共に前記スリット部を建物上方から覆いかつ複数の前記屋根パネル構成部同士を連結するよう構成された、
請求項１記載の陸屋根の小屋裏換気構造。
【発明の詳細な説明】
【技術分野】
【０００１】
本発明は、陸屋根の小屋裏換気構造に関する。
【背景技術】
【０００２】
下記特許文献１には、陸屋根を有する建物における小屋裏換気構造が開示されている。具体的には、この建物は、陸屋根と、この陸屋根の外周縁から建物上下方向の上側に向かって立設されたパラペットと、陸屋根の建物上下方向の下側に設けられた小屋裏と、を有している。このパラペットは、内部に連通路が形成されていると共に、上端部に内部と外部とが連通された連通孔を備えている。また、このパラペットは、建物外側に取り付けられる外壁面材を有する外壁パネルと連続して形成されている。これにより、小屋裏内の空気はパラペット内部の連通路を介してパラペットの上端部から屋外へと排出されて、小屋裏換気が行われる。
【先行技術文献】
【特許文献】
【０００３】
【特許文献１】特開２０１１−１２７３４０号公報
【発明の概要】
【発明が解決しようとする課題】
【０００４】
上記先行技術による場合、パラペットの内部を介して小屋裏内の空気を屋外へと排出するため、パラペットと連続した外壁パネル内の空気が小屋裏内の空気と混合する可能性がある。すなわち、小屋根裏内の空気を効率的に換気できない可能性がある。
【０００５】
本発明は上記問題を考慮し、効率的に換気できる陸屋根の小屋裏換気構造を得ることを目的とする。
【課題を解決するための手段】
【０００６】
請求項１記載の発明に係る陸屋根の小屋裏換気構造は、陸屋根構造とされた建物の屋根部に配置され、建物上下方向の上側に設けられる屋根面材と当該屋根面材を支持する端根太と根太とを含んで構成された複数の屋根パネル構成部と、を有する屋根パネルと、前記屋根パネルにおける隣接する前記屋根パネル構成部同士の間に設けられると共に、小屋裏と連通したスリット部と、前記屋根パネルの端部を建物外側から覆った外壁面材における前記スリット部と対応した位置に前記外壁面材の板厚方向に貫通する通気孔と、前記スリット部に設けられると共に、隣接する一方の前記屋根パネル構成部と他方の前記屋根パネル構成部とを連結しかつ建物上下方向の寸法が前記根太の建物上下方向以下に設定されたつなぎ材と、前記スリット部の建物上方に前記屋根面材と同一面となるようにスリット部屋根面材と、を備えている。
【０００７】
請求項２記載の発明に係る陸屋根の小屋裏換気構造は、請求項１に記載の陸屋根の小屋裏換気構造において、前記屋根パネルの前記屋根面材は、１枚の面材で構成されると共に前記スリット部を建物上方から覆いかつ複数の前記屋根パネル構成部同士を連結するよう構成されている。
【０００９】
請求項１記載の本発明によれば、小屋裏内の空気はスリット部を通って外壁面材に形成された通気孔を介して屋外へと排出される。すなわち、小屋裏内の空気は、隣接する屋根パネル構成部同士の間に形成されたスリット部を通ることから、屋根パネル構成部を構成する端根太に通気孔が不要となる。一般的に、屋根パネルの構成部材である端根太に通気孔を設ける場合には強度の面から設ける位置や大きさに制約が発生することから、通気量が制限される。これに対し、本発明では端根太に通気孔を設けずに隣接する屋根パネル構成部同士の間に通気孔を設けるため通気孔の位置や大きさに制約が発生せず、換気量の制限を受けなくなる。また、小屋裏内の空気は、パラペット内及び外壁パネル内を連通することなくスリット部から外壁面材に設けられる通気孔を介して屋外へと排出されることから、外壁パネル内の空気と混合することなく屋外へと排出される。また、隣接する屋根パネル構成部同士はつなぎ材とスリット部屋根面材とにより連結されることで、屋根パネルはスリット部が一体的に設けられた構成とされる。したがって、建物の屋根部に屋根パネルを設置することで同時にスリット部を設けることが可能となる。さらに、隣接する屋根パネル構成部同士は別体であるつなぎ材及びスリット屋根部材で連結されることから、このつなぎ材とスリット屋根部材との大きさを変更することにより屋根パネル構成部同士の間に設けられるスリット部の大きさを変更することが可能となる。すなわち、スリット部の大きさを変えることにより、スリット部を通る小屋裏内の空気量を調整することができることから、建物の規模に伴って換気量の調整を行うことができる。
【００１０】
請求項２記載の本発明によれば、屋根パネルの建物上下方向の上側に取り付けられた屋根面材は、離間して設けられる屋根パネル構成部同士を連結するように取り付けられていることから、屋根パネルはスリット部が一体的に設けられた構成とされる。したがって、建物の屋根部に屋根パネルを設置することで同時にスリット部を設けることが可能となる。
【発明の効果】
【００１２】
請求項１記載の陸屋根の小屋裏換気構造は、効率的に換気できるという優れた効果を有する。また、現場作業の施工性を向上させることができると共に、建物に合わせた換気量の確保が容易になるという優れた効果を有する。
【００１３】
請求項２記載の陸屋根の小屋裏換気構造は、現場作業の施工性を向上させることができるという優れた効果を有する。
【図面の簡単な説明】
【００１５】
【図１】参考例に係る陸屋根の小屋裏換気構造を有する建物の一部を示す断面図である。
【図２】参考例に係る陸屋根の小屋裏換気構造を有する建物の屋根部を示す拡大断面図である。
【図３】参考例に係る陸屋根の小屋裏換気構造を有する建物の通気孔の要部を示す拡大断面図である。
【図４】参考例に係る陸屋根の小屋裏換気構造における屋根パネルを示す斜視図である。
【図５】一実施形態に係る陸屋根の小屋裏換気構造における屋根パネルを示す斜視図である。
【図６】対比例に係る陸屋根の小屋裏換気構造を有する建物の屋根部を示す拡大断面図である。
【発明を実施するための形態】
【００１６】
以下、図１〜４を用いて、本発明に係る陸屋根の小屋裏換気構造の参考例について説明する。
【００１７】
図１に示されるように、建物１０は、地盤１２内に設けられた基礎１４と、基礎１４の建物上下方向の上側に設けられる一階部分１６と、一階部分１６の建物上下方向の上側に設けられる二階部分１８と、二階部分１８の建物上下方向の上側に設けられる屋根部２０と、を有している。この建物１０は、いわゆるスチールハウスとされており、高強度軽量鉄骨を構造部分に使用した建物とされている。
【００１８】
一階部分１６は、基礎１４の建物上下方向の上側に構築される一階床部２４と、基礎１４上に立設される図示しない柱と、この柱に取り付けられると共に一階部分１６の天井部を構成する一階天井部２６と、柱の建物外側に取り付けられる外壁パネル２８と、を含んで構成されている。
【００１９】
二階部分１８は、一階天井部２６の建物上方に設けられる二階床部２７と、前述の柱と、二階部分１８の天井部を構成する後述する天井面材５６と、柱の建物外側に取り付けられる外壁パネル２８と、を含んで構成されている。
【００２０】
屋根部２０は、略水平に形成されたいわゆる陸屋根構造とされており、この屋根部２０には板状に形成された屋根パネル６０が平面上に並べられるように複数配置されている。また、屋根パネル６０の建物上下方向の下側には、屋根パネル６０と離間された位置に天井面材５６が設けられており、この天井面材５６が二階居室部５８の天井部を構成している。これにより、天井面材５６と屋根パネル６０との間には小屋裏としての小屋裏空間６２が形成される。
【００２１】
外壁パネル２８は、図示しない間柱等により平面状に形成された図示しない外壁フレームを有している。そして、外壁パネル２８は、この外壁フレームの建物内側に取り付けられると共に建物上下方向に沿って延出された内壁面材３０と、外壁フレームの内部に設けられる断熱材５２と、外壁フレームの建物外側に取り付けられると共に角柱状に形成され且つ建物上下方向が長手方向とされた通気胴縁４４と、備えている（図２参照）。また、通気胴縁４４の建物外側面５４には、意匠面であり且つ後述するパラペット４６の上端部４８まで建物上下方向に沿って延出された外壁面材５０が取り付けられている。
【００２２】
屋根部２０の外周縁６４には、外壁パネル２８と略同一面上に沿って建物上下方向の上側に向かって立設されたパラペット４６が形成されている。このパラペット４６は、図２に示されるように、建物上下方向の上側の上端部４８に設けられると共に断面が略Ｕ字状に形成されかつ断面略Ｕ字状の開口が建物上下方向の下側に向かって配置された上部構成部材３８を有している。また、建物上下方向の下側の下端部３６に設けられると共に上部構成部材３８と同様に断面が略Ｕ字状に形成されかつ断面略Ｕ字状の開口が建物上下方向の上側に向かって配置された下部構成部材６６とを有している。この上部構成部材３８の建物内側に配置される折り返し部４０の外側面４２及び下部構成部材６６の建物内側に配置される折り返し部４１の外側面４３には、建物内側外壁面材５３が取り付けられている。また、上部構成部材３８の建物外側に配置される折り返し部４５の外側面４７及び下部構成部材６６の建物外側に配置される折り返し部４９の外側面５１には、外壁パネル２８から延在された通気胴縁４４が取り付けられている。この通気胴縁４４の建物外側面５４には、通気胴縁４４と同様に外壁パネル２８から延在された外壁面材５０が取り付けられている。
【００２３】
パラペット４６の上端部４８には、断面が略Ｕ字状に形成されると共に断面略Ｕ字状の開口が建物上下方向の下側に向けられた笠木６８が建物上下方向の上側から取り付けられている。この笠木６８は、パラペット４６の上端部４８に建物１０の外周に沿って連続的に配置されていることから、パラペット４６の上端部４８から内部に雨水等が浸入するのを抑制することができる。
【００２４】
図４に示されるように、屋根パネル６０は、複数の屋根パネル構成部３２と、屋根パネル構成部３２の後述する屋根パネル端根太材７４の建物上下方向の上側に設けられる上側面７６に取り付けられると共に平板状に形成された１枚の屋根面材７８とで構成されている。換言すると、屋根面材７８は、屋根パネル端根太材７４によって支持されている。
【００２５】
屋根パネル構成部３２は、断面が略Ｃ字状のチャンネル材で構成された根太としての屋根パネル根太材７０と、この屋根パネル根太材７０の長手方向の端部７２に取り付けられると共に屋根パネル根太材７０の延出方向と略直交する向きに延出され且つ断面が略Ｕ字状に形成された端根太としての屋根パネル端根太材７４と、を有している。
【００２６】
屋根パネル根太材７０は、屋根パネル根太材７０Ａ、７０Ｂ、７０Ｃ、７０Ｄと複数設けられていると共にそれぞれの屋根パネル根太材７０の断面開口が対向するように設けられている。すなわち、屋根パネル６０の一方の端部８０に設けられた屋根パネル根太材７０Ａは、断面開口が屋根パネル６０の内側に向けられており、この屋根パネル根太材７０Ａと隣接する屋根パネル根太材７０Ｂは断面開口が屋根パネル６０の外側に向けられている。同様に、屋根パネル６０の他方の端部８２に設けられた屋根パネル根太材７０Ｄは、断面開口が屋根パネル６０の内側に向けられており、この屋根パネル根太材７０Ｄと隣接する屋根パネル根太材７０Ｃは断面開口が屋根パネル６０の外側に向けられている。つまり、屋根パネル根太材７０Ａと屋根パネル根太材７０Ｂとが対向すると共に、屋根パネル根太材７０Ｃと屋根パネル根太材７０Ｄとが対向するように設けられている。
【００２７】
屋根パネル端根太材７４は、屋根パネル根太材７０Ａの端部７２及び屋根パネル根太材７０Ｂの端部７２に亘って取り付けられている。同様に、屋根パネル端根太材７４は、屋根パネル根太材７０Ｃ及び屋根パネル根太材７０Ｄの端部７２に亘って取り付けられている。すなわち、屋根パネル根太材７０Ｂと屋根パネル根太材７０Ｃとの間には屋根パネル端根太材７４は取り付けられておらず、換言すると屋根パネル端根太材７４は屋根パネル根太材７０Ｂと屋根パネル根太材７０Ｃとの間で切り欠かれた構成とされている。これにより、屋根パネル構成部３２同士の間、つまり屋根パネル根太材７０Ｂと屋根パネル根太材７０Ｃとの間には、屋根パネル根太材７０の長手方向に沿って連通される空間であるスリット部８４が形成されている。また、屋根パネル６０の外壁パネル２８側の端部８３には、スリット部８４及び屋根パネル端根太材７４を建物外側から覆うように外壁面材５０が設けられている（図２参照）。
【００２８】
図３に示されるように、外壁面材５０における屋根パネル６０のスリット部８４に対応した位置には、外壁面材５０の板厚方向に貫通された通気孔８８が形成されている。この通気孔８８には、換気ダクト９０が取り付けられている。なお、外壁面材５０は建物１０の構成部材ではなく建物１０の強度に大きく影響を及ぼさないことから、通気孔８８を任意の大きさ及び位置に設けることが可能とされている。
【００２９】
換気ダクト９０は、胴体部９２とフランジ部９４とで構成されている。この胴体部９２は、中空かつ外形の寸法が外壁面材５０の通気孔８８の内径及び屋根パネル６０のスリット部８４よりも小さく設定された部材で構成されている。また、フランジ部９４は、外形の寸法が外壁面材５０の通気孔８８の内径より大きく設定されていると共に中央部に板厚方向に貫通された連通孔９６が形成され且つこの連通孔９６内に板状の羽根９８が複数取り付けられている。
【００３０】
この換気ダクト９０が建物１０に取り付けられる際には、外壁パネル２８の内壁面材３０に上部枠材３４が取り付けられる。そして、建物外側から防水シート１００が内壁面材３０と上部枠材３４とに連続して貼り付けられている。同様に、パラペット４６の建物内側外壁面材５３に下部構成部材６６が取り付けられる。そして、建物外側から防水シート１００が建物内側外壁面材５３と下部構成部材６６とに連続して貼り付けられている。この防水シート１００の建物外側に断熱材５２、通気胴縁４４及び外壁面材５０が設けられる。そして、外壁面材５０の通気孔８８には、換気ダクト９０が挿入されている。具体的には、換気ダクト９０のフランジ部９４の建物内側面１０２と外壁面材５０の建物外側面１０４とが当接するように換気ダクト９０は建物上下方向と直交する向きに沿って建物外側から建物内側へと挿入されている。また、フランジ部９４と外壁面材５０との接合部には、シーリング剤１０６が塗布されている。これにより、建物外部から通気孔８８を介して建物１０の内部へ雨水等が浸入するのを抑制することができる。
【００３１】
上述の構成により、換気ダクト９０及びスリット部８４を介して建物外部と小屋裏空間６２とが連通される。すなわち、小屋裏空間６２内の空気がスリット部８４及び換気ダクト９０を通って建物１０の外部へと排出可能とされている。
【００３２】
（参考例の作用・効果）
次に、本参考例の作用並びに効果を説明する。
【００３３】
ここで、図６に示される対比例を用いながら、本参考例の作用並びに効果を説明することにする。なお、対比例中、本参考例と同一構成部分については同一番号を付してその説明を省略する。
【００３４】
図６に示されるように、建物２００の建物上部に設けられている屋根部２０２は陸屋根構造とされており、この屋根部２０２には梁２５４と、図示しない根太及び端根太により平面視で矩形状に形成された屋根パネル２０４が複数配置されている。また、屋根パネル２０４の建物上下方向の下方には、屋根パネル２０４と離間された位置に天井面材２０６が設けられている。これにより、天井面材２０６と屋根パネル２０４との間には小屋裏としての小屋裏空間２０８が形成される。
【００３５】
屋根部２０２の外周縁２１０には、外壁面材２１２と断熱材２１４と内壁面材２２４とを有する外壁パネル２１６と、この外壁パネル２１６の略同一面上に沿って設けられると共に建物上下方向の上側に向かって立設されたパラペット２１８とが設けられている。このパラペット２１８は、建物上下方向の上側の上端部２２０に設けられると共に断面が略Ｕ字状に形成されかつ断面略Ｕ字状での開口が建物上下方向の下方に向かって配置された上部構成部材２２２と、外壁パネル２１６の建物外側に設けられ且つ上端部２２０まで延伸された外壁面材２１２と、この外壁面材２１２と対向するように設けられた建物内側外壁面材２２５と、で構成されている。また、パラペット２１８において、外壁面材２１２と断熱材２１４との間及び建物内側外壁面材２２５と断熱材２１４との間には連通路２２６が形成されている。この連通路２２６は、パラペット２１８における建物上下方向の略中央部において断熱材２１４を切り欠いて形成される連絡部２２８により、外壁面材２１２と断熱材２１４との間に形成される連通路２２６と、建物内側外壁面材２２５と断熱材２１４との間に形成される連通路２２６とが接続するように形成される。
【００３６】
上部構成部材２２２における建物上下方向と直交する向きに沿って設けられた上面２３０には、外壁面材２１２と断熱材２１４との間に形成される連通路２２６に対応する位置に板厚方向に貫通された通気孔２３２が形成されている。また、上部構成部材２２２の建物上下方向の上側には、笠木２３４が取り付けられている。この笠木２３４は、断面が略Ｕ字状に形成され且つ内部に中空部２３６を有していると共に、断面略Ｕ字状の開口が建物上下方向の下方に向けられて取り付けられている。さらに、笠木２３４の中央下端面２３８には、上部構成部材２２２の通気孔２３２と対応する位置に中央下端面２３８の板厚方向に貫通された連通孔２４０が形成されている。
【００３７】
笠木２３４における建物外側に位置しかつ建物上下方向に沿って下方へ延出される外側延出部２４２の建物内側面２４４には、板厚方向に貫通された連通孔２４６が形成されている。同様に、笠木２３４における建物内側に位置しかつ建物上下方向に沿って下方へ延出される内側延出部２４８の建物内側面２４４には、板厚方向に貫通された連通孔２５０が形成されている。これにより、笠木２３４の中空部２３６と建物外部とが連通可能とされている。
【００３８】
屋根パネル２０４とパラペット２１８との接合部分には、内部に通気間隙２５２が形成されている。この通気間隙２５２は、屋根パネル２０４の梁２５４の上方に設けられると共に小屋裏空間２０８と建物内側外壁面材２２５及び断熱材２１４の間に形成される連通路２２６とを連通するように形成されている。したがって、小屋裏空間２０８内の空気は、矢印Ｗに示されるように、通気間隙２５２及び連通路２２６を通って笠木２３４の中空部２３６へと流れ、笠木２３４の連通孔２４６及び連通孔２５０を通って建物外部へと排出される。これにより、梁２５４に通気孔を設けることなく小屋裏換気が行われる。
【００３９】
しかしながら、小屋裏空間２０８の空気は、パラペット２１８の内部の連通路２２６を介して屋外へと排出されるため、パラペット２１８と連続した外壁パネル２１６内の空気が小屋裏空間２０８からの空気と混合する可能性がある。すなわち、小屋裏空間２０８内の空気が屋外へと効率よく排出されなくなるため、効率的に換気を行えない可能性がある。
【００４０】
これに対し、図２に示されるように、本発明によれば、小屋裏空間６２内の空気はスリット部８４を通って外壁面材５０に形成された通気孔８８に取り付けられた換気ダクト９０を介して屋外へと排出される。すなわち、小屋裏空間６２内の空気は、屋根パネル構成部３２同士を離間して配置することで形成されたスリット部８４を通ることから、屋根パネル構成部３２を構成する屋根パネル端根太材７４に通気孔が不要となる。一般的に、屋根パネル６０の構成部材である屋根パネル端根太材７４に通気孔８８を設ける場合には強度の面から設ける位置や大きさに制約が発生することから、換気量が制限される。これに対し、本発明では屋根パネル端根太材７４に通気孔８８を設けずに隣接する屋根パネル構成部３２同士の間に通気孔８８を設けるため通気孔８８の位置や大きさに制約が発生せず、換気量の制限を受けなくなる。また、小屋裏空間６２内の空気は、パラペット４６内及び外壁パネル２８内を連通することなくスリット部８４から通気孔８８に取り付けられた換気ダクト９０を介して屋外へと排出されることから、外壁パネル２８内の空気と混合することなく屋外へと排出される。これにより、小屋裏空間６２内を効率的に換気できる。
【００４１】
また、屋根パネル６０の建物上下方向の上側に取り付けられた屋根面材７８は、離間して設けられる屋根パネル構成部３２同士を連結するように取り付けられていることから、屋根パネル６０はスリット部８４が一体的に設けられた構成とされる。したがって、建物１０の屋根部２０を施工する際に屋根パネル６０と同時にスリット部８４を設けることが可能となる。これにより、現場作業の施工性を向上させることができる。
【００４２】
（実施形態）
次に、図５を用いて、本発明の一実施形態に係る建物ユニットの断熱構造について説明する。なお、前述した参考例等と同一構成部分については、同一番号を付してその説明を省略する。
【００４３】
この第２実施形態に係る陸屋根の小屋裏換気構造は、基本的な構成は第１実施形態と同様とされ、屋根パネル１２０が屋根パネル構成部としての第１屋根パネル構成部１２２と第２屋根パネル構成部１２４とで構成されている点に特徴がある。
【００４４】
すなわち、図５に示されるように、屋根パネル１２０の屋根パネル根太材７０Ａと屋根パネル根太材７０Ｂとの建物上下方向の上側には、平板状に形成された第１屋根パネル面材１２６が取り付けられている。そして、屋根パネル根太材７０Ａと屋根パネル根太材７０Ｂと屋根パネル端根太材７４と第１屋根パネル面材１２６とで第１屋根パネル構成部１２２が形成されている。同様に、屋根パネル１２０の屋根パネル根太材７０Ｃと屋根パネル根太材７０Ｄとの建物上下方向の上側には、第１屋根パネル面材１２６と同様に、平板状に形成された第２屋根パネル面材１２８が取り付けられている。そして、屋根パネル根太材７０Ｃと屋根パネル根太材７０Ｄと屋根パネル端根太材７４と第２屋根パネル面材１２８とで第２屋根パネル構成部１２４が形成されている。
【００４５】
第１屋根パネル構成部１２２と、第２屋根パネル構成部１２４とは、つなぎ材１３０によって連結されている。具体的には、このつなぎ材１３０はスチール製の板状に形成されると共に、つなぎ材１３０の一方の端部を屋根パネル根太材７０Ｂの背面１３２に取り付ける。また、つなぎ材１３０における一方の端部と反対側の他方の端部を屋根パネル根太材７０Ｃの背面１３４に取り付けることで第１屋根パネル構成部１２２と第２屋根パネル構成部１２４とが連結されている。
【００４６】
屋根パネル根太材７０Ｂと屋根パネル根太材７０Ｃとの間に形成されるスリット部８４の建物上下方向の上側には、スリット部屋根面材１３８が取り付けられる。このスリット部屋根面材１３８は、第１屋根パネル面材１２６及び第２屋根パネル面材１２８と同様に板状かつスリット部８４の平面視での寸法と略同一に形成されていると共に、取付け状態で第１屋根パネル面材１２６及び第２屋根パネル面材１２８と略同一面上に配置されるように構成されている。これにより、第１屋根パネル構成部１２２と第２屋根パネル構成部１２４とが連結されることで屋根パネル１２０が形成される。
【００４７】
なお、第１屋根パネル構成部１２２と第２屋根パネル構成部１２４との間に設けられたつなぎ材１３０の平面視での長手方向の寸法及びスリット部屋根面材１３８の平面視での短手方向の寸法を変更することで、屋根パネル１２０に形成されるスリット部８４の幅方向の寸法を変更することができる。
【００４８】
また、本実施形態では、つなぎ材１３０の建物上下方向の寸法は、屋根パネル根太材７０Ｂの背面１３２及び屋根パネル根太材７０Ｃの背面１３４の建物上下方向の寸法と略同一とされているが、これに限らず、背面１３２及び背面１３４よりも小さい寸法とされてもよい。これにより、つなぎ材１３０とスリット部屋根面材１３８との間及びつなぎ材１３０と小屋裏空間６２との間の少なくとも一方に間隙が形成されて、小屋裏空間６２からスリット部８４への換気量を調整することができる。さらに、つなぎ材１３０に板厚方向に貫通した図示しない連通孔を設けたり、つなぎ材１３０を棒状の部材により構成することで換気量を調整する構成としてもよい。
【００４９】
（実施形態の作用・効果）
次に、本実施形態の作用並びに効果を説明する。
【００５０】
上記構成によれば、参考例と同様、小屋裏空間６２内の空気はスリット部８４を通って外壁面材５０に形成された通気孔８８に取り付けられた換気ダクト９０を介して屋外へと排出される。すなわち、小屋裏空間６２内の空気は、第１屋根パネル構成部１２２と第２屋根パネル構成部１２４との間に設けられたスリット部８４を通ることから、第１屋根パネル構成部１２２及び第２屋根パネル構成部１２４を構成する屋根パネル端根太材７４に通気孔が不要となる。一般的に、屋根パネル１２０の構成部材である屋根パネル端根太材７４に通気孔８８を設ける場合には強度の面から設ける位置や大きさに制約が発生することから、換気量が制限される。これに対し、本実施形態では屋根パネル端根太材７４に通気孔８８を設けずに隣接する第１屋根パネル構成部１２２と第２屋根パネル構成部１２４との間に通気孔８８を設けるため通気孔８８の位置や大きさに制約が発生せず、換気量の制限を受けなくなる。また、小屋裏空間６２内の空気は、パラペット４６内及び外壁パネル２８内を連通することなくスリット部８４から通気孔８８に取り付けられた換気ダクト９０を介して屋外へと排出されることから、外壁パネル２８内の空気と混合することなく屋外へと排出される。これにより、小屋裏空間６２内を効率的に換気できる。
【００５１】
また、隣接する第１屋根パネル構成部１２２と第２屋根パネル構成部１２４とはつなぎ材１３０とスリット部屋根面材１３８とにより連結されることで、屋根パネル１２０はスリット部８４が一体的に設けられた構成とされる。したがって、建物１０の屋根部２０に屋根パネル１２０を設置することで同時にスリット部８４を設けることが可能となる。また、隣接する屋根パネル１２０同士は別体であるつなぎ材１３０及びスリット部屋根面材１３８で連結されることから、このつなぎ材１３０とスリット部屋根面材１３８との大きさを変更することにより第１屋根パネル構成部１２２と第２屋根パネル構成部１２４との間に設けられるスリット部８４の大きさを変更することが可能となる。すなわち、スリット部８４の大きさを変えることにより、スリット部８４を通る小屋裏空間６２内の空気量を調整することができることから、建物１０の規模に伴う換気量の調整を行うことができる。これにより、現場作業の施工性を向上させることができると共に、建物１０に合わせた換気量の確保が容易になる。
【００５２】
さらに、つなぎ材１３０とスリット部屋根面材１３８との大きさを適宜調整することによってスリット部８４の位置変更を容易に行うことができるため、換気ダクト９０の取付け位置の変更に対応することが容易となる。
【００５３】
以上、本発明の実施形態について説明したが、本発明は、上記に限定されるものでなく、その主旨を逸脱しない範囲内において上記以外にも種々変形して実施することが可能であることは勿論である。
【符号の説明】
【００５４】
１０   建物
２０   屋根部
３２   屋根パネル構成部
５０   外壁面材
６０   屋根パネル
６２   小屋裏空間（小屋裏）
７０   屋根パネル根太材（根太）
７４   屋根パネル端根太材（端根太）
７８   屋根面材
８３   端部
８４   スリット部
８６   端部
８８   通気孔
１２０ 屋根パネル
１２２ 屋根パネル構成部（屋根パネル構成部）
１２４ 屋根パネル構成部（屋根パネル構成部）
１３０ つなぎ材
１３８ スリット部屋根面材
【図１】
0006324820.tif 000002
【図２】
0006324820.tif 000003
【図３】
0006324820.tif 000004
【図４】
0006324820.tif 000005
【図５】
0006324820.tif 000006
【図６】
0006324820.tif 000007